(57)【要約】      （修正有）【課題】屋根の谷部を流れる雨水の流速を減衰してこの雨水が軒樋を飛び越えて落下するのを防止する雨水流速減衰装置を提供する。【解決手段】この装置１は、谷部の各斜面に設置可能な２つの面状網部材２、２と、これらの面状網部材２、２を結合するとともに各面状網部材２、２間の角度を谷部の各斜面間の角度に合わせて調整可能なヒンジ部材３とにより構成され、各面状網部材２、２を谷部に適宜の止め金具により固定する。このようにして谷部に流れる雨水を各面状網部材２、２に通すことにより、この谷部上で当該雨水の流れる方向を多方向に変化させる。【選択図】図１
0003153414.tif 000002
【実用新案登録請求の範囲】
【請求項１】
建物の屋根に形成された谷部に設置固定され、当該谷部に流れる雨水の流下速度を減衰する雨水流速減衰装置であって、
前記谷部の各斜面に設置可能な２つの面状網部材と、前記各面状網部材を結合するとともに前記各面状網部材間の角度を前記谷部の各斜面間の角度に合わせて調整可能なヒンジ部材とを備え、
前記各面状網部材を前記谷部に任意の止め具により固定して、前記谷部に流れる雨水を前記各面状網部材に通すことにより前記谷部上で当該雨水の流れる方向を多方向に変化させる、
ことを特徴とする雨水流速減衰装置。
【請求項２】
２つの面状網部材はそれぞれ、外形をなすフレームと当該フレームに張設される網とにより構成される請求項１に記載の雨水流速減衰装置。
【請求項３】
２つの面状網部材はそれぞれ、網の目が多角形又は円形に形成される請求項１又は２に記載の雨水流速減衰装置。
【請求項４】
２つの面状網部材にそれぞれ、軒先に係合可能な係止爪を備える請求項１乃至３のいずれかに記載の雨水流速減衰装置。
【請求項５】
２つの面状網部材及びヒンジ部材はそれぞれ、鉄、ステンレスを含む金属材により形成される請求項１乃至４のいずれかに記載の雨水流速減衰装置。
【考案の詳細な説明】
【技術分野】
【０００１】
本考案は屋根の谷部に使用する雨水流速減衰装置に関する。
【背景技術】
【０００２】
戸建て住宅などの建物の屋根は切妻屋根、寄棟屋根などが一般的に知られているが、近年、住宅設計の自由度の高まりから、屋根のデザインも多種多様なものになっており、二つの屋根が交わるようなデザインも少なくない。この種の屋根では、図４に示すように、二つの屋根３１、３２の交差部分に谷部３３が形成され、雨天のときに、二つの屋根３１、３２からの雨水が谷部３３に流れ込み、この谷部３３に沿って流れて、屋根先端の軒樋３４に流され排水されるようになっている。
【０００３】
ところで、このような屋根の谷部３３では、二つの屋根３１、３２から流れる雨水が谷部３３に集中し、この谷部３３をかなり速い流下速度で流れ落ちるため、特に雨量が多いときには、この谷部３３を流れる雨水は軒樋３４を飛び越えて直接地面に流れ落ちることがある。そこで、従前は、この谷部に流れる雨水の流速を減衰するための谷樋が提案され、これが例えば特許文献１、２などに開示されている。特許文献１の谷樋は、図５に示すように、樋本体４１の水落し近傍に突起部４２を設けたもので、この突起部４２により雨水の流下速度を減衰するようになっている。特許文献２の谷樋は、図６に示すように、樋本体５１の底部にこの樋本体５１の長手方向に沿って蛇行する仕切り板５２を設けたもので、この仕切り板５２により雨水の水勢を弱めるようになっている。
【先行技術文献】
【特許文献】
【０００４】
【特許文献１】実開昭５９−１３２８３３号公報
【特許文献２】特開平  ８−１９９７４４号公報
【考案の概要】
【考案が解決しようとする課題】
【０００５】
しかしながら、上記従来(特許文献１、２)の谷樋では、次のような問題がある。
（１）特許文献１、２の谷樋では、屋根の施工に際して屋根の谷部に谷樋として形成されるため、既設の屋根の谷部に後付けすることができない。
（２）特許文献１の谷樋の構造では、大雨の際に、樋本体の水落とし近傍になるほど、樋本体を流れる雨水と、両側の屋根から流下する雨水とが三方から合流し激しくぶつかり合って大きな水飛沫を上げる乱流状態になるので、これらの雨水が軒樋を飛び越えて流れ落ちることは避けられない。
（３）特許文献２の谷樋の構造では、雨水が谷の各斜面を仕切り板に沿って流下するため、雨量が多い場合には、谷の各斜面を流れる雨水の増加によって雨水の流れは加速され、これらの雨水が軒樋を飛び越えて流れ落ちるのを防止することは難しい。
【０００６】
本考案は、このような従来の課題を解決するものであり、屋根の谷部に当該屋根の施工時でも施工後の後付けでも簡単に設置することができ、屋根の谷部を流れる雨水の流速を減衰してこの雨水が軒樋を飛び越えて落下するのを確実に又は可及的に防止することのできる優れた雨水流速減衰装置を提供すること、を目的とする。
【課題を解決するための手段】
【０００７】
上記目的を達成するために、本考案の雨水流速減衰装置は、建物の屋根に形成された谷部に設置固定され、当該谷部に流れる雨水の流下速度を減衰する雨水流速減衰装置であって、前記谷部の各斜面に設置可能な２つの面状網部材と、前記各面状網部材を結合するとともに前記各面状網部材間の角度を前記谷部の各斜面間の角度に合わせて調整可能なヒンジ部材とを備え、前記各面状網部材を前記谷部に任意の止め具により固定して、前記谷部に流れる雨水を前記各面状網部材に通すことにより前記谷部上で当該雨水の流れる方向を多方向に変化させる、ことを要旨とする。
この場合、２つの面状網部材はそれぞれ、外形をなすフレームと当該フレームに張設される網とにより構成されることが好ましい。また、２つの面状網部材にそれぞれ、軒先に係合可能な係止爪を備えることが好ましい。さらに、２つの面状網部材はそれぞれ、網の目が多角形又は円形に形成されることが好ましい。またさらに、２つの面状網部材及びヒンジ部材はそれぞれ、鉄、ステンレスを含む金属材により形成されることが好ましい。
【考案の効果】
【０００８】
本考案の雨水流速減衰装置は、上記の構成により、各面状網部材を屋根の谷部に任意の止め具により固定して、この谷部に流れる雨水を各面状網部材に通すことによりこの谷部上で当該雨水の流れる方向を多方向に変化させるようにしたので、屋根の谷部に当該屋根の施工時でも施工後の後付けでも簡単に設置することができ、屋根の谷部を流れる雨水の流速を減衰してこの雨水が軒樋を飛び越えて落下するのを確実に又は可及的に防止することができる、という効果を奏する。
【図面の簡単な説明】
【０００９】
【図１】本考案の一実施の形態における雨水流速減衰装置の構成を示す平面図
【図２】同雨水流速減衰装置の使用例を示す平面図
【図３】同雨水流速減衰装置の他の使用例を示す平面図
【図４】建物の屋根に形成された谷部を示す斜視図
【図５】従来の谷樋の一例を示す平面図
【図６】従来の谷樋の他の例を示す平面図
【考案を実施するための形態】
【００１０】
次に、この考案を実施するための形態について図を用いて説明する。図１に雨水流速減衰装置を示している。図１に示すように、雨水流速減衰装置１は２つの面状網部材２、２とヒンジ部材３、３とを備えて構成される。
【００１１】
２つの面状網部材２、２はそれぞれ、建物の屋根に形成された谷部の、当該谷部を構成する各斜面に設置可能に対称的な平面形状に形成される。この場合、各面状網部材２、２は外形をなすフレーム２１と当該フレーム２１内に張設される網２２とにより構成され、全体が谷部の軒先側の端部所定の範囲で谷部の各斜面内に設置可能な大きさに形成される。ここでフレーム２１は鉄製で谷部の斜面の延びる方向に細長い四辺形に、特に各長辺２１１、２１２は平行に、軒先側一方の短辺２１３は軒先の延びる方向に合わせて斜めに、他方の短辺２１４は各長辺２１１、２１２に対して直角に形成される。網２２は鉄製でフレーム２１内に縦横に、すなわち各長辺２１１、２１２と平行にかつ他方の短辺２１４と平行に編成されて、多数の網の目がそれぞれ略正方形に形成される。また、この場合、２つの面状網部材２、２にそれぞれ、屋根の軒先に係合可能な係止爪２３、２３を備えている。この係止爪２３は鉄製で断面略Ｌ字形又は断面略コ字形に形成され、フレーム２１の軒先側一方の端部（この場合、短辺２１３）の下面側所定の位置に軒先に係止可能（な向き）に固着される。
【００１２】
これら２つの面状網部材２、２は長い一方の長辺２１１、２１１が外側に短い他方の長辺２１２、２１２が内側で接するように対称的に並べられ、フレーム２１、２１の短い長辺２１２、２１２（の上面）間に複数のヒンジ部材３、３が取り付けられて、各面状網部材２、２が相互に折り畳み重合された状態から略１８０°まで展開可能で、各面状網部材２、２間の角度が谷部の各斜面間の角度に合わせて調整可能に結合される。ここで各ヒンジ部材３、３には一般的に使用される鉄製の蝶番が採用される。
【００１３】
なお、この雨水流速減衰装置１は各部が鉄製で全体に焼付けカラー塗装が施される。
【００１４】
この雨水流速減衰装置１の谷部における固定形式は任意であり、例えば適宜の止め金具が使用され、この止め金具がフレーム２１又は網２２の任意に位置に取り付けられる。特にここでは、止め金具は、図２、図３に示すように、２つのＬ字形の金具４、４が使用され、各Ｌ字形の金具４、４が各面状網部材２、２のフレーム２１（又は網２２）の端部にワイヤーその他の金属製の線材を介して取り付けられる。
【００１５】
図２にこの雨水流速減衰装置１の使用例を示している。なお、図２中には、図４に示す建物の屋根３１、３２、谷部３３、及び軒樋３４を例示している。図２に示すように、この雨水流速減衰装置１を建物の屋根に形成された谷部３３に設置固定する。この場合、雨水流速減衰装置１の軒先側端部の各係止爪２３、２３（図１参照）を軒先に係止しつつ、２つの面状網部材２、２を谷部３３の軒先側の端部所定の範囲で谷部３３の各斜面内に各斜面間の角度に合わせて平面的に設置し、各面状網部材２、２に取り付けられた各止め金具４、４を谷部３３両側の適宜位置に固定して、この雨水流速減衰装置１を谷部３３に固定する。このようにしてこの谷部３３に流れる雨水を各面状網部材２、２に通すことにより、この谷部３３上で当該雨水の流れる方向を多方向に変化させる。すなわち、雨天のときに、二つの屋根３１、３２からの雨水が谷部３３に流れ込み、この谷部３３を流れる雨水は各面状網部材２、２を通過する間、各面状網部材２、２の網の目をなす各部に当たって谷部３３の上から下への直線的な流れから谷部３３に対して左右方向に不規則に向きを変えたり各面状網部材２、２に対して上下に方向を変えたり、またこの雨水が各面状網部材２、２の網の目をなす各部に当たることで小さく飛散したりして、この雨水の流れは不規則に分散され、阻害される。この谷部３３上を流れる雨水は各面状網部材２、２を通過する間、水流の不規則な分散、阻害作用を繰り返し受けて、谷部３３の軒先付近では、雨水の流下速度は大きく減衰される。これにより、この谷部３３に沿って流れる雨水は、屋根先端の軒樋３４に（軒樋３４を飛び越えることなく）流れ込み、この軒樋３４を通じて排水される。
【００１６】
以上説明したように、この雨水流速減衰装置１では、谷部３３の各斜面に設置可能な２つの面状網部材２、２と、これらの面状網部材２、２を結合するとともに各面状網部材２、２間の角度を谷部３３の各斜面間の角度に合わせて調整可能なヒンジ部材３とにより構成し、各面状網部材２、２を谷部３３に適宜の止め金具４、４により固定するようにしたので、屋根の施工時でも施工後の後付けでも、各面状網部材２、２を谷部３３の各斜面に（各斜面の角度に）合わせて簡易に設置固定することができ、そして、この谷部３３に流れる雨水を各面状網部材２、２に通すことによりこの谷部３３上で当該雨水の流れる方向を多方向に変化させるようにしたので、この谷部３３を流れる雨水の流れを確実に分散、阻害して、当該雨水の流速を減衰し、この雨水が軒樋３４を飛び越えて落下するのを確実に又は可及的に防止することができる。したがって、この谷部３３を流れる雨水を軒樋３４に確実に流し込み、排水することができる。
【００１７】
また、この装置１の場合、さらに次のような利点を有する。
（１）２つの面状網部材２、２がそれぞれ、外形をなすフレーム２１と当該フレーム２１内に張設される網２２とにより構成されるので、面状網部材２、２を簡易に製作することができる。
（２）２つの面状網部材２、２にそれぞれ、軒先に係合可能な係止爪２３、２３を備えているので、各面状部材２、２を谷部３３の軒先側端部に軒先に沿って簡易に設置固定することができる。
（３）２つの面状網部材２、２にそれぞれ、多数の網の目を有し、これらの網の目が略正方形に形成されるので、これらの網の目をなす各部（正方形の各辺）により、雨水の流れを効率よく分散、阻害することができる。
（４）２つの面状網部材２、２、ヒンジ部材３その他、雨水流速減衰装置１の各部がそれぞれ、鉄製で、焼付けカラー塗装が施されているので、耐久性に優れ、この装置１を長く使用することができる。
（５）また、この装置１の使用に当たり、図３に示すように、各面状網部材２、２の両端部の向きを反対にして使用することができ、軒先側一方の端部（短辺２１３）が軒先の角度に合わない場合に、各面状網部材２、２の両端部の向きを反対にして設置することができる。このようにしても各面状網部材２、２は上記と同様に作用し、上記と同様の効果を奏することができる。また、各面状網部材２、２はヒンジ部材３、３を介して各面状網部材２、２間の角度を任意に調整できることから、谷部の芯が谷部の幅方向中心からずれていても、各面状網部材２、２を谷部の各斜面間の角度に合わせて確実かつ簡易に設置することができる。
【００１８】
なお、上記の実施の形態では、２つの面状網部材２、２がそれぞれ、外形をなすフレーム２１と当該フレーム２１内に張設される網２２とにより構成されているが、外形の一部をなす部分フレームと網とにより構成されてもよく、さらに網のみで構成されてもよく、このようにしても上記実施の形態と同様の作用効果を得ることができる。また、２つの面状網部材２、２の一方の端部は軒先の角度に合わせて斜めに形成されているが、この端部を他方の端部と同様に、長辺２１１、２１２に対して直角に形成してもよい。さらに、２つの面状網部材２、２にそれぞれ、軒先に係合可能な係止爪２３、２３を備えているが、この係止爪２３と同様の作用を有する限り、その形状は種々に変更可能である。また、この係止爪２３はなくてもよい。このような変更をしても、この装置１本来の機能（水流の分散、阻害作用）に何ら差し支えるものではない。またさらに、２つの面状網部材２、２にそれぞれ多数の網の目を有し、これらの網の目が略正方形に形成されているが、この形状は例えば略三角形、略六角形など他の多角形でもよく、また円形であってもよく、このようにしても上記と同様の作用効果を奏することができる。またさらに、この装置１を鉄製としたが、ステンレスにより形成してもよく、同様の作用効果を奏することができる。この装置１をステンレス製とした場合、塗装は不要である。
【符号の説明】
【００１９】
１  雨水流速減衰装置
２  面状網部材
２１  フレーム
２２  網
２１１  （長い）長辺
２１２  （短い）長辺
２１３  短辺
２１４  短辺
２３  係止爪
３  ヒンジ部材
４  止め金具
【図１】
0003153414.tif 000003
【図２】
0003153414.tif 000004
【図３】
0003153414.tif 000005
【図４】
0003153414.tif 000006
【図５】
0003153414.tif 000007
【図６】
0003153414.tif 000008